(57)【要約】【課題】本発明は、典型的にはデジタルカメラなどのディスプレイスクリーンあるいは類似のディスプレイ構造体を見やすくする遮光組立体を提供する。【解決手段】内部が開放した基部がディスプレイスクリーンを囲むような関係で固定され、そこから外方へ延在する。開放位置と閉鎖位置との間で選択的に位置される複数の遮光部を含む閉鎖組立体が前記基部に設けられる。閉鎖組立体が開放した作動位置にあると、前記遮光部が基部と共軸線関係で外方へ延び、閉鎖組立体と基部の内部に配置され、それらを通して延び、周辺光線を遮ることによって見やすいディスプレイスクリーンの視野通路を画成する。【選択図】　　　図２
2004135330.tif 000002
【特許請求の範囲】
【請求項１】
　ディスプレイスクリーンを見やすくするよう構成された遮光組立体において、
　ａ）前記ディスプレイスクリーンに対してそれを囲むような関係で配置され、
かつそこから外方へ延在している基部であって、
　ｂ）対向して配置された開放端で終わる中空の内部を含む基部と、
　ｃ）前記基部に対して運動可能に接続され、前記開放端の中の最外方のものに対して閉鎖位置と作動位置との間で配置可能である閉鎖組立体であって、
　ｄ）相互に対して運動可能に接続されており、前記閉鎖位置と作動位置との間で同時に配置可能である複数の遮光部を含む閉鎖組立体と、
　ｅ）前記ディスプレイスクリーンに対して可視的に整合された関係で配置された視野通路（ビューイングチャンネル）であって、該視野通路の周囲の周りで前記基部から外方へ集合的に延在する前記複数の遮光部によって少なくとも部分的に画成される視覚通路とを含むことを特徴とするディスプレイスクリーンを見やすくするよう構成された遮光組立体。
【請求項２】
　前記視野通路が更に前記基部の前記中空の内部によって画成されることを特徴とする請求項１に記載の遮光組立体。
【請求項３】
　前記複数の遮光部が、前記作動位置にあるとき、前記基部に対して共軸線関係で配置されることを特徴とする請求項２に記載の遮光組立体。
【請求項４】
　前記基部と前記複数の遮光部とが遮光性材料で形成されていることを特徴とする請求項３に記載の遮光組立体。
【請求項５】
　前記複数の遮光部の少なくとも一方が前記複数の遮光部の他のものと駆動係合状態で配置されていることを特徴とする請求項１に記載の遮光組立体。
【請求項６】
　前記一方の遮光部が、該遮光部に固定され、前記他方の遮光部と駆動係合状態で配置されているカム組立体を含むことを特徴とする請求項５に記載の遮光組立体。
【請求項７】
　前記カム組立体が前記他方の遮光部と駆動係合状態で配置されている少なくとも１個のカム部材からなることを特徴とする請求項６に記載の遮光組立体。
【請求項８】
　前記カム組立体が、前記一方の遮光部に固定され、前記他方の遮光部の対応して配置された部分と駆動係合状態で配置されている複数のカム部材からなることを特徴とする請求項６に記載の遮光組立体。
【請求項９】
　前記複数の遮光部が、前記作動位置にあると、前記視野通路に対してそれを少なくとも部分的に囲むような関係で各々配置されている少なくとも第一と第二の遮光部からなることを特徴とする請求項１に記載の遮光組立体。
【請求項１０】
　前記第一と第二の遮光部の各々が複数の壁部材からなり、前記作動位置が、前記第一および第二の遮光部双方の前記複数の壁部材が前記視野通路の周りを集合的に延び、該視野通路を少なくとも部分的に画成していることからなることを特徴とする請求項９に記載の遮光組立体。
【請求項１１】
　前記第一と第二の遮光部の少なくとも一方の前記壁の少なくとも１個によって画成された閉鎖部材を更に含むことを特徴とする請求項１０に記載の遮光組立体。
【請求項１２】
　前記閉鎖位置が、前記閉鎖部材が前記基部の前記開放端の中の最外側のものに対して重なり、それを被覆した関係で配置されることからなることを特徴とする請求項１１に記載の遮光組立体。
【請求項１３】
　前記閉鎖位置が更に、前記第一と第二の遮光部の対応して配置された壁部材が相互に対して重なった関係で配置されることからなることを特徴とする請求項１２に記載の遮光組立体。
【請求項１４】
　前記閉鎖位置が更に、前記複数の壁部材が前記基部の前記中空の内部内で、前記閉鎖部材に対してその下に位置するような関係で配置されることからなることを特徴とする請求項１３に記載の遮光組立体。
【請求項１５】
　ディスプレイスクリーンを見やすくするよう構成された遮光組立体において、
　ａ）前記ディスプレイスクリーンに対してそれを囲むような関係で、かつそこから外方へ延在している基部と、
　ｂ）前記基部の外端に運動可能に接続され、作動位置あるいは閉鎖位置のいずれかに方向付けられるように構成されている閉鎖組立体であって、
　ｃ）前記作動位置と閉鎖位置との間で同時に運動可能である少なくとも第一と第二の遮光部を含む閉鎖組立体と、
　ｄ）前記第一と第二の遮光部が前記作動位置にあると、前記基部と前記閉鎖組立体とを通して延在する視野通路であって、
　ｅ）前記ディスプレイスクリーンと可視的に整合している視野通路とを含むことを特徴とするディスプレイスクリーンを見やすくするように構成された遮光組立体。
【請求項１６】
　前記第一と第二の遮光部が前記作動位置にあると、前記基部と前記閉鎖組立体とが概ね共軸線関係で整合することを特徴とする請求項１５に記載の遮光組立体。
【請求項１７】
　前記基部が前記視野通路に対してそれを囲むような関係で配置され、横方向に閉鎖された形状からなることを特徴とする請求項１６に記載の遮光組立体。
【請求項１８】
　前記第一と第二の遮光部が前記視野通路に対してそれを囲むような関係で前記基部から外方へ集合的に配置されていることを特徴とする請求項１７に記載の遮光組立体。
【請求項１９】
　前記閉鎖組立体が更に閉鎖部材を含み、前記閉鎖組立体が前記閉鎖位置にあると前記閉鎖部材が前記基部の外端に対してそれを被覆するような関係で配置されることを特徴とする請求項１５に記載の遮光組立体。
【請求項２０】
　前記閉鎖位置が更に、前記第一と第二の遮光部が前記閉鎖部材に対してその下に位置するような関係で前記基部の内部内で少なくとも部分的に位置されることからなることを特徴とする請求項１９に記載の遮光組立体。
【請求項２１】
　前記閉鎖位置が更に、前記第一と第二の遮光部の一部が相互に対して重なるような関係で配置されることからなることを特徴とする請求項２０に記載の遮光組立体。
【請求項２２】
　前記基部が前記ディスプレイスクリーンに対してそれを囲むような関係で固定されていることを特徴とする請求項１５に記載の遮光組立体。
【請求項２３】
　前記基部が前記ディスプレイスクリーンに対してそれを囲むような関係で取り外し可能に固定されていることを特徴とする請求項１５に記載の遮光組立体。
【請求項２４】
　前記ディスプレイスクリーンの周囲の周りに固定され、前記ディスプレイスクリーンに対して隣接してそれを囲むような関係で前記基部を相互に接続するように構成されている装着組立体を更に含むことを特徴とする請求項２３に記載の遮光組立体。
【請求項２５】
　前記基部が前記装着組立体に取り外し可能に接続されていることを特徴とする請求項２４に記載の遮光組立体。
【請求項２６】
　前記ディスプレイスクリーンに対して隣接してそれを囲むような関係で前記基部を相互に接続する装着フレームを更に含むことを特徴とする請求項１５に記載の遮光組立体。
【請求項２７】
　前記装着フレームが、前記基部の最内方の開放端に接続されている周辺部分によって少なくとも部分的に囲まれている開放した内部を含むことを特徴とする請求項２６に記載の遮光組立体。
【請求項２８】
　前記基部に対して、取り外し可能で、それを支持するような関係で係合して前記装着フレームから外方へ延在している接続組立体を更に含むことを特徴とする請求項２７に記載の遮光組立体。
【請求項２９】
　前記接続組立体が、各々前記周辺部分に固定され、前記基部と係合関係となるよう配置されている複数の接続部材からなることを特徴とする請求項２８に記載の遮光組立体。
【請求項３０】
　前記複数の接続部材が相互に対して離隔され、概ね対向するような関係で配置され、前記基部の対応する内部の部分に摩擦して接続されている少なくとも２個のフィンガからなることを特徴とする請求項２９に記載の遮光組立体。
【請求項３１】
　デジタルカメラのディスプレイスクリーンを見やすくするよう構成された遮光組立体において、
　ａ）前記ディスプレイスクリーンに対してそれを囲むような関係で配置され、かつそこから外方へ延びている基部と、
　ｂ）前記基部の外端に運動可能に接続され、作動位置あるいは閉鎖位置のいずれかに方向付けられるよう構成された閉鎖組立体であって、
　ｃ）前記作動位置と前記閉鎖位置との間で同時に運動可能である少なくとも第一の遮光部と第二の遮光部とを含む閉鎖組立体とを含み、
　ｄ）前記作動位置が前記第一と第二の遮光部が前記基部からそれに対して概ね共軸線関係で外方へ延びることからなり、
　ｅ）前記ディスプレイスクリーンと可視的に整合し、前記閉鎖組立体が前記作動位置にあるとき前記閉鎖組立体内で、かつそこを通して延在する視野通路を更に含むことを特徴とするデジタルカメラのディスプレイスクリーンを見やすくするよう構成された遮光組立体。
【請求項３２】
　前記閉鎖位置が第一と第二の遮光部が前記基部の開放した外端を通してその内部中へ延在することからなることを特徴とする請求項３１に記載の遮光組立体。
【請求項３３】
　前記閉鎖組立体が更に、前記第一と第二の遮光部の一方に接続され、前記開放端と前記基部の前記内部とに対してそれらと重なり、被覆するような関係で配置されている閉鎖部材を更に含むことを特徴とする請求項３２に記載の遮光組立体。
【請求項３４】
　前記ディスプレイスクリーンに対して隣接し、それを囲むような関係で前記基部の開放した内端に接続された装着フレームを更に含むことを特徴とする請求項３１に記載の遮光組立体。
【請求項３５】
　前記基部が前記装着フレームに取り外し可能に装着されていることを特徴とする請求項３４に記載の遮光組立体。
【請求項３６】
　前記第一または第二の遮光部の少なくとも一方が前記遮光部の他方と駆動係合状態に配置可能であり、前記第一と第二の遮光部が前記作動位置と閉鎖位置との間で同時に配置可能であることを特徴とする請求項３１に記載の遮光組立体。
【請求項３７】
　前記第一と第二の遮光部の一方に固定され、前記第一あるいは第二の遮光部の他方と駆動係合状態で配置されているカム組立体を更に含むことを特徴とする請求項３６に記載の遮光組立体。
【請求項３８】
　前記カム組立体が前記の他方の第一あるいは第二の遮光部の対応して配置された部分と駆動係合状態で配置されている少なくとも１個のカム部材からなることを特徴とする請求項３７に記載の遮光組立体。
【請求項３９】
　前記カム組立体が前記一方の遮光部に固定され、前記他方の遮光部の対応して配置された部分と駆動係合状態で配置されている複数のカム部材からなることを特徴とする請求項３８に記載の遮光組立体。
【発明の詳細な説明】
【技術分野】
【０００１】
　本発明は、デジタルカメラあるいは類似装置のディスプレイスクリーンの近傍に装着するように構成され、作動位置あるいは閉鎖位置に選択的に配置される閉鎖組立体を含む組立体を指向する。作動位置は、ディスプレイスクリーンが周辺光線に露出されるのを抑えるように閉鎖組立体が基部から外方へ延び、該閉鎖組立体の内部と前記基部とにおいて囲むような関係で配置された視野通路（ビューイングチャンネル）を画成することによって決まる。
【背景技術】
【０００２】
　近代的な今日の技術の進歩は限定的ではないが、例えばコンピュータ、カメラ、電話、パーソナルデジタルアシスタント、ページャなど多数の装置の商業的な利用可能性をもたらした。これらの装置の全ては何らかのタイプの可視ディスプレイ組立体を内蔵している。典型的に、そして特に手持ち、あるいは可搬性装置についていえば、そのようなディスプレイ組立体は液晶ディスプレイ（ＬＣＤ）として特に構成されたディスプレイスクリーンから構成されている。
【０００３】
　そのような装置はその大きさや利用可能性のために、殆どいずれの場所においても各種の所期の使用に対して活躍しうるという程度までそれらの使用は偏在している。再度ラップトップコンピュータ、カメラ、電話などを含む移動あるいは可搬性装置について特に言及すれば、ディスプレイスクリーンを見ようとしても、ディスプレイスクリーンに入射する周囲光線があるため時には、それが阻害される。その結果、ディスプレイスクリーン上に存在するカラーおよび（または）像が使用者が識別するのが不可能でないとしても、困難になるところまで不明瞭にする「色あせ（ウオッシュアウト）」作用が発生する。
【０００４】
　そのような見難さの問題を克服しようとする試みはディスプレイスクリーンの明るさ、あるいはコントラスト度を調整することを含むことが多い。しかしながら、周囲光線が直接ディスプレイスクリーンに露出されるのを阻止する最も簡単な方法は太陽光あるいはその他の周囲の光線状態に対する直接の露出が避けられるようにするために当該ディスプレイスクリーンが位置しているカメラ、コンピュータなどの方向を変えるとか、置き直すことである。例えば写真を撮影するときとか、あるいはデジタルカメラで情景を見るような場合のような多くの状況下において、ディスプレイスクリーンを置き直すことは実用的でない。同様の問題がディスプレイスクリーンの方向を変えるには使用者並びにコンピュータの位置し直すとか、あるいはセットし直すことを必要とされるラップトップコンピュータについても発生する。
【０００５】
　周辺光線の状態によってディスプレイスクリーンの像を不明瞭にさせることに関わる問題の認識によって各種タイプの遮光構造体を提供しようとする多数の試みが行われる段階まで到達した。典型的には、そのような遮光構造体は、ディスプレイスクリーンが直接に光線に露出されないように保護するために当該装置のディスプレイスクリーンあるいは組立体部分に接続するか、あるいはそれらの周りに位置される。遮光構造体を開発しようとする、既にある、すなわち従来の試みはそれらの所期の機能に対して少なくとも最小限の機能を果たすよう作動するものと想定されるが、そのような遮光装置の構造上、および作動上の特徴は、それらが稀にしか使用されていないことが証明するように、消費者である大衆に対してはあまり評判がよくないことが明らかになった。更に、既知のタイプの遮光装置の構造はまた、その使用あるいは装着が複雑であることに関わるある欠点と並びにそれらの装置は多少は「特注」を基準に製造することの明らかな必要性を含んでいる。従って、万能的に各種のまちまちの装置に対して適合させることができないので、極めて多数ある既知の遮光タイプ構造を製造する上において、経済的な製造技術を利用することができない。
【０００６】
　益々増大する普及性を享受している近代的な装置の一範疇にはデジタルカメラが含まれる。その使用者は、作動時、典型的には前述したＬＣＤディスプレイスクリーンの形態であるディスプレイ組立体によって捉えようとする像を見る必要がある。各種型式、製造および種類のデジタルカメラのサイズおよび汎用性の点で、それだけではないが、今日まで特にディスプレイスクリーンに対して遮光を行うために使用するのに適合した好適な遮光組立体を開発および製造することを困難としてきた。また、カメラのビューファイダレンズ部分を保護するシャッタタイプの装置の広義の、すなわち一般的な概念が知られているが、そのような装置は入光する周辺光線をデジタルカメラのディスプレイスクリーンとの整合関係で露出されている好ましい視野通路から抑制することによってデジタルカメラのディスプレイスクリーンに対して遮光を行う上で使用するのに容易に適合することはできない。
【０００７】
　従って、当該技術分野には、専用ではないが、特にデジタルカメラに使用するように構成された遮光組立体に対する要求がある。そのような好ましい遮光組立体は、種々のモデル、タイプなどのデジタルカメラを含む各種の装置に対する汎用性を増し、かつ使用できるようにするためにその構造や作動性が一般的なものとしうる。以下詳細に説明するタイプの改良されたタイプの遮光組立体は、特定の用途には関係なく、ディスプレイスクリーンの近傍で、かつそれを囲むような関係でカメラに着脱可能に、あるいは固定的に固定可能であるべきである。
【０００８】
　更に、そのような好ましい遮光組立体の構造上の特徴は面倒な操作をしなくても閉鎖位置と開放位置すなわち作動位置との間で容易かつ迅速に方向付けることができるようにすべきである。そのため、好ましい遮光組立体の各種の遮光構成要素は使用者の指あるいは手で単に操作することによってディスプイ組立体を遮光するように作動可能であるべきである。最後に、そのような好ましく、かつ改良された遮光組立体は比較的低コストで広範囲の消費者に利用可能としうるように、長寿命で軽量な構造とされ、かつ効率的に製造できるようにすべきである。
【発明の開示】
【発明が解決しようとする課題】
【０００９】
　本発明はデジタルカメラのディスプレイスクリーンあるいは同様のディスプレイ部分を見やすくさせるように構成された組立体を指向する。
【課題を解決するための手段】
【００１０】
　以下明らかとなるように、本発明による遮光組立体はデジタルカメラ以外の各種の色々な装置に使用するよう適用可能である。しかしながら、複数の適用可能性の各々において、本発明による遮光組立体は、ディスプレイスクリーンの周囲の周りで概ね連続的に延在することによってディスプレイスクリーンの直近で、かつそれを囲んで着脱可能あるいは固定的に固定される。また、以下明らかとなるように、遮光組立体の各種の部分は、ディスプレイスクリーンが太陽光あるいはその他の周辺の光源に直接露出されるのと阻止するか、あるいは少なくとも低減する不透明な、あるいはその他の光線を抑制する材料から形成されることが好ましい。
【００１１】
　詳しくは、本発明による遮光組立体は２個の対向して配置された開放端に対して連通している開放内部を有する基部を含む。前記基部の最内方の開放端はデジタルカメラあるいはその他の装置の直近に固定される。基部の装着は、例えば基部がデジタルカメラの元々製造あるいは供給された要素である場合には固定されたもの、あるいは永続的なものとしうる。代替的に、基部は好ましくは装着組立体によってディスプレイ組立体に対してそれを囲むような関係でデジタルカメラに着脱可能に固定してもよい。
【００１２】
　少なくとも好適な一実施例において、装着組立体は連続した、すなわち閉鎖された周辺部分によって囲まれた開放内部を有する装着フレームからなる。前記装着フレームの寸法と形状とは、ディスプレイスクリーンの周囲の直近で、該スクリーンを見る部分に対してそれを囲むような関係で、接着剤によって固定されるか、あるいは他の方法で取り付けられるようにディスプレイスクリーンに概ね対応するものである。基部の最内方の開放端は、該基部が装着フレームに着脱可能に装着され、かつ少なくとも部分的にそれによって支持されうるように装着フレームの周辺部分と関連し、かつそこから外方へ延びている接続組立体との協働関係で構成されている。従って、前記基部は適正に位置されると、装着フレームに固定され、ディスプレイスクリーンを囲むような関係で装着フレームおよびディスプレイスクリーンから外方へ延在するように方向付けられている。
【００１３】
　本発明による遮光組立体の更に別の構造的な特徴は閉鎖組立体を設けたことにある。閉鎖組立体は基部の外方開放端の近傍すなわち隣接して該基部に固定されている。更に、閉鎖組立体は、好ましくは少なくとも第一と第二の遮光部を含む複数の遮光部を含む。前記遮光部は、閉鎖位置あるいは開放した作動位置へ出入りするよう前記基部と相互とに対して選択的に運動可能である。更に、前記遮光部の各々は、相互に対して固定され、前述の閉鎖位置および作動位置の間で配置される際、基部に対して集合的に運動することが可能な複数の壁すなわちパネルからなる。
【００１４】
　更に、閉鎖組立体が作動位置にあると、各遮光部分の複数の壁すなわちパネル部材は、前記基部を概ね共軸線関係で集合的に囲み、そこから外方へ延びるように協働関係で配置され、かつ構成されている。更に、前記遮光部分の少なくとも１個は、前記閉鎖組立体が閉鎖位置にあるとき、前記基部の最外方の開放端に対して上から重なり被覆するような関係で配置可能な蓋、カバーあるいは類似の閉鎖部材を含む。前記閉鎖位置はまた、カバー部材以外の各遮光部の壁すなわちパネルが相互に対して多少重なった関係で前記基部の内部に配置されることによって画成される。
【００１５】
　前記遮光部の少なくとも１個が、それらの間のカム作用による係合によって他方の遮光部分と駆動関係で係合するように配置され、かつ構成されていることによってカバー組立体を閉鎖位置、開放位置および作動位置の間で迅速かつ効率的に位置決めし易くされる。そのため、複数の遮光部は以下明らかになるように、閉鎖位置あるいは作動位置のいずれかにおいて同時に方向付けられる。
【００１６】
　従って、基部に対して概ね共軸線関係である作動位置に閉鎖組立体を方向付ける結果「視野通路（ビューイングチャンネル）」を提供する。視野通路は可視的にディスプレイスクリーンと整合している。使用時、本発明による遮光組立体が装着されているデジタルカメラの使用者は視野通路を通して見る。前述のように、基部並びに閉鎖組立体の少なくとも大部分が形成されている材質は光線を抑制するようなものである。従って、視野通路に対して基部と複数の遮光部とがそれを囲むような関係になっているために、光線はディスプレイスクリーンに現れる像を不明瞭とするような仕方で視野通路の内部へ入るのが抑制される。当然のことながら、閉鎖組立体はその作動位置にあるとき、そこを通して前述の視野通路に沿ってディスプレイスクリーンを容易に見ることができるアクセス用開口を提供するように構成されている。
【００１７】
　本発明のこれらおよびその他の特徴や利点については図面並びに詳細な説明を検討すればより明らかとなる。
【００１８】
　本発明の特性をより完全に理解するには、添付図面と関連した以下の詳細説明を参照する必要がある。
【００１９】
　数葉の図面を通して、同じ部材は同じ参照数字で指示する。
【実施例】
【００２０】
　添付図面に示すように、本発明は全体的に１０で指示され、図１において、全体的に１２で指示されたデジタルカメラあるいは各種のその他のタイプの装置に固定されるか、あるいは着脱可能に固定されるように構成された遮光組立体を指向する。詳しくは、遮光組立体１０は、典型的には液晶ディスプレイ（ＬＣＤ）あるいはその他のタイプのディスプレイ構造体からなるディスプレイ１４に直接関連してデジタルカメラあるいは類似の装置１２に協働して位置するように構成されている。遮光組立体１０はデジタルカメラ１２のディスプレイスクリーン１４に対して遮光するために特に使用するように構成されていることが強調される。しかしながら、遮光組立体１０は、広範囲の種々の装置あるいは器具に関連したその他のタイプのディスプレイスクリーンあるいは類似のディスプレイ構造体に対しても寸法上の変更以外の構造上の修正を殆どなしに、あるいは全くなしに利用することができる。
【００２１】
　従って、遮光組立体１０は図７および図８において詳細に示され、対向方向に配置された開放端１８および２０と直接連通する開放した内部を有する基部１６を含む。更に、基部１６は、諸々の図面を通して示されているように、該基部１６の開放した内部の周りを延び、該基部１６の連続した、すなわち閉鎖された周辺部分を画成している複数の相互に接続されたパネル２２，２３，２４および２５を含む。前記のパネルすなわち壁２２−２５は光線の通過を抑制し、従って以下詳細に説明するようにディスプレイスクリーン１４に対して適当な遮光を提供する不透明な、あるいはその他の遮光性材料から形成されることが好ましい。
【００２２】
　図２に示すように、基部１６はディスプレイスクリーン１４の直近で、それを囲みながらデジタルカメラ１２あるいは類似の装置に固定されるか、あるいは着脱可能に固定されている。判りやすくするために、ディスプレイスクリーンは想像線で示され、デジタルカメラ１２の内部に少なくとも部分的に埋設されているが、その露出面１２’において明瞭に見ることができる。本発明の好適実施例において、基部１６は全体的に２８で指示する装着組立体によってディスプレイスクリーン１４に、それを囲むような関係で着脱可能に固定されている。装着組立体２８は、概ね閉鎖され、連続的に形成された周辺部分３２によって囲まれた開放した内部３０を有する装着フレーム２９の形態であることが好ましい。装着フレーム２９はその周辺部分３２がディスプレイスクリーンの周囲１４’の周りで固定されるか、あるいは着脱可能に固定されるように該ディスプレイスクリーン１４に対応する寸法および形状とされている。
【００２３】
　ディスプレイスクリーン１４の周囲１４’の周りに装着フレーム２９を固定するには、前記周辺部分３２の下面に固定され、前述したように前記周囲１４’に装着フレーム２９を固定するか、あるいは着脱可能に固定するように構成された接着剤あるいは類似の材料３３によって達成することが好ましい。本発明は露出面１２’に対する固定、永続的な装着あるいは着脱可能な装着を達成するために装着フレーム２９をデジタルカメラあるいは類似の装置１２に固定する各種のその他の手段も考慮している。更に、例えば装着フレーム２９あるいは装着組立体２８を形成するその他の構造上の修正したものが初めからデジタルカメラ１２と共に製造されるとか、あるいは組み立てられる場合のように当該装置１２と一体とするか、あるいは永続的に固定することが可能であることも考慮されている。
【００２４】
　ディスプレイスクリーン１４の周囲１４’の周りで基部１６を着脱可能に装着することは、少なくとも１個、好ましくは複数の装着バー３６および３８からなる接続組立体によって達成されることが好ましい。図２に示す実施例において、装着バー３６および３８は相互に対して対向関係で離隔配置されている外方へ突出したフィンガ状突起から構成しうる。更に、装着バーすなわちフィンガ３６および３８は、図２の方向を示す矢印で指示するように装着バー３６および３８に対してはめ込まれるような関係で基部１６が配置されるにつれて、基部１６の内面部分と摩擦して、かつ取り外し可能にはまり込むような寸法および形状とされている。
【００２５】
　図６を更に参照すれば、装着組立体２８は装着バー３６’および３８’として指示されている代替的な構造体から構成しうる。装着バー３６’および３８’は細長い形状であり、それらのそれぞれの長さ分は基部の壁すなわちパネル２２または２４の対応する内面と摺動し、摩擦して係合するようなものである。装着３６，３８、または３６’、３８’を受け入れるために、基部１６の内面は、少なくとも一実施例において、例えば壁２２および２４のような適当に位置した壁における対応した形状および寸法のくぼみ３７および３９を含む。更に、前記くぼみ３７および３９は前記装着バー３６，３８と基部１６との間の前述した摩擦係合を維持するような特定の寸法および形状とされている。更に、装着バー３６，３８または３６’、３８’の実施例とは関係なく、それらはフレーム２９に固定するか、あるいは代替的にデジタルカメラ１２あるいは遮光組立体１０を使用しうるその他の装置に直接固定してもよいことが強調される。
【００２６】
　明らかなように、ディスプレイスクリーン１４の表面が太陽光あるいはその他の光源に対して露出されるのを排除あるいは抑制することが望ましい場合、基部１６はディスプレイスクリーン１４に対してそれを囲むような関係で着脱可能に固定される。図４から図８までに示すように、例えば２３および２５で示すような対向して配置された壁すなわちパネルの外面は４０および４２で示すように隆起した、および（または）外方へ突出したフィンガ係合パッドを含みうる。これらのパッド４０および４２は、基部がディスプレイスクリーンに対して装着組立体２８に装着されたり、あるいはそこから取り外されるにつれて、基部１６を方向を合わせて位置決めさせたり、並びに使用者の指によって掴持し易くするよう作用する。
【００２７】
　本発明の少なくとも一つの好適実施例の別の構造上の特徴は全体的に４４で指示する閉鎖組立体を提供することを含む。閉鎖組立体４４は図２に示す好適実施例においては作動位置に示され、図４から図５においては作動位置と閉鎖位置との双方で詳細に示されている。そのため、閉鎖組立体４４は複数の、好ましくは２個の遮光部を含み、第一の遮光部４６と第二の遮光部４８とは開放した外端１８の近傍で、あるいはそれに隣接して基部１６に運動可能に装着されている。以下詳細に説明するように、第一と第二の遮光部４６と４８とは、前記開放端１８の周りでそれぞれの遮光部と基部１６の対応する側とに接続され、あるいは一体とされた対応する装着部５２’および５３’内で固定された枢動ロッドすなわちシャフト５２および５３によって枢動可能に接続されている。主として図６を参照すれば、第一と第二の遮光部４６と４８との各々はそれぞれ複数の壁すなわちパネルセグメント４６’および４８’からなる。更に、例えば第一の遮光部４６のような前記遮光部の少なくとも１個はカバー、蓋あるいは閉鎖部材４７を含む。以下詳細に説明するように、蓋すなわち閉鎖部材はまた、図２および図４に示す作動位置にあると、ディスプレイスクリーン１４に対して遮光する壁すなわちパネルセグメントの一つとしても作用する。
【００２８】
　詳しくは、前述の壁すなわちパネルセグメントの各々は相互に接続され、そのため図２および図４に示す作動位置にあると、それらは集合的に基部１６に対して概ね共軸線関係で配置される。そのようは協働関係の共軸線方向にあると、閉鎖組立体４４および基部１６はその内部において視野通路を少なくとも部分的に画成するように配置される。前述の視野通路はディスプレイスクリーン１４に対して可視的に整合して配置され、少なくともアクセス開口５０から、長手方向に遮光部４６および４８並びに基部１６を通して基部１６の開放している下端２０まで延在している。判りやすくするために、図２および図４に示す作動位置にあると、アクセス開口は第一と第二の遮光部４６および４８の上側部分すなわち外周部分によって画成されている。
【００２９】
　閉鎖組立体４４の前述の閉鎖位置が図５に示されており、該閉鎖位置ではそれぞれの遮光部４６および４８の複数のパネルすなわち壁セグメント４６’および４８’の対応する分が相互に重ねられた関係で、かつ基部１６の離隔している壁２３および２５に対して概ね平行の関係で配置されている。閉鎖位置は更に、カバー部材４７が中間の遮光部４８’並びに基部の開放した外端に対して重なり、被覆する関係に配置されていることからなる。カバー部材４７はまた、基部１６の内部内に配置されているパネルすなわち壁セグメント４６’および４８’に重なる、すなわち被覆している。
【００３０】
　主として図６を参照すれば、複数の遮光部４６および４８の各々は基部１６に対して開放した外端１８の近傍において運動可能および好ましくは枢動可能に接続されている。前述のように、枢動接続部はそれぞれ遮光部４６および４８並びに基部１６に接続、すなわち装着されている対応する装着部５２’および５３’内に固定された枢動ロッドすなわちシャフト５２および５３を含む。そのため、遮光部４６と４８とは前述した閉鎖位置および作動位置へそれぞれ出入りするよう前記シャフトすなわちロッド５２および５３の周りを枢動する。また、枢動接続部の各々は、前記遮光部４６および４８の双方が通常は図２および図４に示す作動位置へ弾圧されるように、枢動シャフト５２および５３に適当に接続された１個以上の弾圧用ばね５６を含む。保持部材５９を、それぞれの枢動ロッド５２および５３並びに弾圧ばね５６をケーシング５２’および５３’に対して装着しやすくさせるよう適当に位置させることができる。
【００３１】
　遮光部４６および４８が弾圧ばね５６が位置することによって作動位置へ通常弾圧されるが、最小の引っ張り力あるいは持ち上げ力で遮光部４６および４８をそれぞれ閉鎖位置あるいは作動位置のいずれかへ配置させるよう役立つことが明らかである。更に、遮光部４６および４８が協働するよう構成されているので、作動あるいは閉鎖位置のいずれかへ双方が出入りする際それらが同時に運動できるようにする。そのような同時運動は、前記遮光部の少なくとも一方、例えば第一の遮光部４６が他方すなわち第二の遮光部４８と駆動関係で係合して配置されることによって促進される。そのような駆動関係での係合は少なくとも１個の、但し好ましくは２個のカム部材がパネルすなわち壁部材４６’の各々に装着され、かつそれと共に運動可能である周辺縁部６０によって少なくとも部分的に画成されることによって達成される。同様に、遮光部４８は、第二の遮光部４８の対向する、最も端の壁すなわちパネルセグメント４８’の外側に各々配置されている２個のカムフォロワすなわち被動部分６２を含む。
【００３２】
　図２および図４を参照すれば、第一の遮光部４６が下方すなわち内方に枢動すると周縁部分すなわちカム部材６０をカムフォロワすなわち周縁部分６２と駆動関係で係合させ、それを下方すなわち内方へ強制的に押圧するようにカム部材６０はカムフォロワ６２と運動可能に係合する。同様に、第一の遮光部４６が閉鎖位置から作動位置へ戻るよう上方、すなわち外方へ移動すると、周縁部分すなわちカム部材６０がカムフォロワ８２の長さに亘って移動するにつれて第二の遮光部４８を効果的に「解放」させることができる。遮光部４６および４８がこのように協働するように構成され、図２および図４に示す作動位置へ同時に運動するために、遮光組立体１０は、例えばデジタルカメラ１２が作動する場合のように、ディスプレイスクリーン１４を適度に遮光するよう迅速、かつ容易に方向付けされる。代替的に、第一の遮光部４６が第二の遮光部４８と駆動関係で係合するように内方へ枢動され、そのため遮光組立体１０が前述したように図５に示す閉鎖位置を取るようになるにつれて、ディスプレイスクリーン１４は効果的に保護され、密閉され、そして被覆されうる。
【００３３】
　本発明による遮光組立体１０の更に別の構造的特徴はカバー４７の外周縁部に形成され、該カバーの長さの少なくとも一部に沿って延びている垂下したリップ７０を含むことである。前記垂下リップ７０は、遮光部４６および４８が閉鎖位置にあると、遮光部４８の対向する、すなわち最内方周縁部７２内で重なり、摩擦係合するように配置されたラッチ部材を少なくとも部分的に画成するように配置され、かつ構成されている。詳しくは、７４で指示する内面は遮光部４８の内周縁部すなわち内周部７２の外面と摩擦係合を促進するように粗くするか、リブを付けるか、るいはその他の形状としうる。このような協働的な構成により、垂下リップすなわちラッチ部分７０は遮光部４６および４８を図５に示す閉鎖位置に摩擦させ、かつ取り外し可能に保持するよう作用する。遮光部４６および４８を図２および図４に示す開放位置に配置させることは、内面７４と前記内周縁部すなわち内周部７２の外面との間の摩擦係合をずらすよう前記垂下リップすなわちフランジ７０の適当な部分に持ち上げ力を加えることによって容易に達成される。更に、カバー部材４７の外面は、該カバー部材４７を前述した開放位置あるいは閉鎖位置に位置させるために該カバー部材４７と少なくとも部分的に係合し、および（または）掴持するよう作用しうる外方へ延びた突出部４７’を含む。
【００３４】
　本発明の前述した好適実施例に対して細部において多くの修正、変形および変更が可能なので、前述した説明に記載し、添付図面に示す全ての事項は例示であって、限定的な意味で解釈すべきでない。このように、本発明の範囲は特許請求の範囲およびその法律的な均等物によって決定されるべきである。
【００３５】
　以上本発明を説明してきた。
【図面の簡単な説明】
【００３６】
【図１】本発明による遮光組立体を固定あるいは着脱可能に装着しうるタイプのデジタルカメラの斜視図である。
【図２】ディスプレイスクリーンに対して作動位置においてデジタルカメラに位置させる際の基部と閉鎖組立体との分解形態の側面図である。
【図３】図２に示す実施例と関連した装着組立体の正面図である。
【図４】図２に示す実施例において示すように作動位置における基部と閉鎖組立体との内部を示す上面斜視図である。
【図５】図２に示す実施例の閉鎖位置における斜視図である。
【図６】本発明による遮光組立体の好適実施例の基部および閉鎖組立体を構成する各種の構成要素を含む、分解し、未組立状態の斜視図である。
【図７】図２に示す実施例の基部部分の上面斜視図である。
【図８】図７に示す実施例の断面図である。
【図９】図２に示す好適実施例による閉鎖組立体の一部の上面斜視図である。
【図１０】図９に示す実施例の後面斜視図である。
【図１１】図９および図１０に示す実施例の底面斜視図である。
【図１２】図２に示す実施例による閉鎖組立体の別の要素の内部斜視図である。
【図１３】図１２に示す実施例とは反対側の角度から見た斜視図である。
【符号の説明】
【００３７】
　１０　遮光組立体
　１２　デジタルカメラ
　１４　ディスプレイスクリーン
　１６　基部
　１８，２０　開放端
　２２，２３，２４，２５　パネル
　２８　装着組立体
　２９　装着フレーム
　３６，３８，３６’、３８’接続組立体
　４４　閉鎖組立体
　４６，４８　遮光部
　４７　カバー
　５２，５３　枢動軸
　５６　ばね
　６０　カム
　６２　カムフォロワ
　７０　リップ
　７２　遮光部の周縁部
【図１】
2004135330.tif 000003
【図２】
2004135330.tif 000004
【図３】
2004135330.tif 000005
【図４】
2004135330.tif 000006
【図５】
2004135330.tif 000007
【図６】
2004135330.tif 000008
【図７】
2004135330.tif 000009
【図８】
2004135330.tif 000010
【図９】
2004135330.tif 000011
【図１０】
2004135330.tif 000012
【図１１】
2004135330.tif 000013
【図１２】
2004135330.tif 000014
【図１３】
2004135330.tif 000015